(57)【要約】      （修正有）【課題】車両を移動させることなく任意の場所でディーゼルエンジンの尿素ＳＣＲシステムの尿素水タンクにドラムから電動ポンプで尿素水を給液する方法を提供する。【解決手段】尿素水入りドラムを、バッテリー１２と電動ポンプ３が設置され電動ポンプ３がドラムの底まで挿入できる挿入用パイプ５に接続された吸液ホース６とオートストップガン付き給液ホース８とに接続されたドラム運搬台車に設置し、車両側まで移動させ、電動ポンプ３で車両の尿素水タンクに給液することで、車両を移動させずに、任意の場所で尿素水を給液できる。【選択図】図１
2018193049.tif 000002
【特許請求の範囲】
【請求項１】
バッテリーと電動ポンプが設置され、電動ポンプがドラムの底まで挿入できる挿入用パイプに接続された吸液ホースとオートストップガン付き給液ホースとに接続されたドラム運搬台車。
【請求項２】
尿素水の充填量を測定する簡易流量計を設置した請求項１記載のドラム運搬台車。
【発明の詳細な説明】
【技術分野】
【０００１】  本発明は、トラックやバスや乗用車やトラクターのディーゼルエンジンから発生する窒素酸化物を窒素と水に変えるための尿素ＳＣＲシステムの尿素水を車両の側まで持っていき、車両を移動させることなく給液するシステムに関するものである。
【背景技術】
【０００２】  車両を移動させずに車両の尿素水タンクへ尿素水を給液する方法として、従来は１０Ｌや２０Ｌのバックインボックスからノズルを使用して給液する方法や電動ポンプを設置した小分け用タンクを載せたハンドル付台車に、尿素水を小分け充填し、そのハンドル付台車を車両の側まで移動させ、延長コードで電源を確保して、オートストップガン付き給液ホースで車両の尿素水タンクに給液する方法や、電動ポンプを装着したドラム運搬台車に、尿素水入り２００Ｌ樹脂ドラムを積載し、車両の側まで移動させ、延長コードで電源を確保して、２００Ｌ樹脂ドラムの底まで挿入できる挿入用パイプに接続された吸液ホースを２００Ｌ樹脂ドラムに設置して電動ポンプと接続し、オートストップガン付き給液ホースと電動ポンプとを接続して給液する方法が知られている。また、車両を移動させる場合は、電動ポンプによる給液機器付き３ｍ３大型貯槽から給液する方法や１ｍ３タンクコンテナの排出口に電動ポンプを接続し、オートストップガン付きホースを電動ポンプに接続して給液する方法や２００Ｌ樹脂ドラムの底まで挿入できる挿入用パイプに接続された吸液ホースをドラムに設置して電動ポンプと接続し、オートストップガン付き給液ホースと電動ポンプとを接続して給液する方法が知られている。
【発明の概要】
【発明が解決しようとする課題】
【０００３】  しかしながら、１０Ｌや２０Ｌの尿素水バッグインボックスを使用する場合は、使い捨てのバッグインボックスを使用するため、尿素水の値段が高くなるといった問題があり、電動ポンプを設置した小分け用タンクを載せたハンドル付台車やドラム運搬台車にて尿素水を給液する方法は、延長コードで電源を確保するため、任意の場所での給液ができないといった問題点があった。また、車両を移動させて、電動ポンプで充填する方法は、トラクター等は、作業中の場合、作業を中断させて車両を移動させる必要がある等の問題点があった。【０００４】  本発明は上記の実情に鑑みてなされたものであり、その目的は搬入された尿素水入り２００Ｌ樹脂ドラムを、バッテリーと電動ポンプが設置され、電動ポンプがドラムの底まで挿入できる挿入用パイプに接続された吸液ホースとオートストップガン付き給液ホースとに接続されたドラム運搬台車に設置し、任意の場所にある車両側まで移動させ、電動ポンプで車両の尿素水タンクに給液する方法を提供することにある。
【課題を解決するための手段】
【０００５】  上記課題を解決するための本発明の装置は、バッテリーと電動ポンプが設置され、電動ポンプがドラムの底まで挿入できる挿入用パイプに接続された吸液ホースとオートストップガン付き給液ホースとに接続されたドラム運搬台車であり、尿素水入りの２００Ｌ樹脂ドラムをドラム運搬台車に設置し、車両側まで移動させた後、ドラムの２つの栓の１つを開け、片方の栓から挿入用パイプをドラムの底辺まで挿入し、もう１つの栓を少し開け、空気をドラム内に取り込めるようにして、車両の尿素水タンクの口を開け、オートストップガンの給液口を挿入し、電動ポンプを稼動させることで、尿素水を漏らすことなく、尿素水タンクを満タンにすることができ、また、簡易流量計を設置することで給液量を測定することができるドラム運搬台車である。
【発明の効果】
【０００６】  本発明に関わるドラム運搬台車を用いれば、搬入された尿素水入り２００Ｌ樹脂ドラムをそのままドラム運搬台車に設置し、車両側まで移動させ、任意の場所で、電動ポンプで車両の尿素水タンクに尿素水を給液できる。
【図面の簡単な説明】
【０００７】
【図１】バッテリーと電動ポンプ付きドラム運搬台車正面図
【図２】ドラム設置済のバッテリーと電動ポンプ付きドラム運搬台車横図
【発明を実施するための形態】
【０００８】  以下、本発明の形態を図１、図２に基づいて説明するが、本発明はこれによって何ら限定されるものではない。
【０００９】  図１はハンドル１側から見たドラム運搬台車の正面図であり、ハンドル１の中間部の設置板２の右部分に電動ポンプ３が設置され、電動ポンプ３上部に稼動スイッチ４がある。電動ポンプ３の右にはドラムの底まで挿入できる挿入用パイプ５が接続された吸液用ホース６が電動ポンプ３と接続され、左には先端にオートストップガン７が付いた給液用ホース８が電動ポンプ３に接続され、どちらのホースも設置板２に設置された掛け金具９に丸めて置かれている。また、設置板２の中央上部には、ドラムを乗せたときに、ドラムのチャイム（縁）部分を挟む上下に移動可能なレバー１０が設置されている。図２はドラムを設置した状態のドラム運搬台車の横図であり、ドラム運搬台車のボンベを載せる底板１１のハンドル１側の手前側に電力を供給するバッテリー１２が設置されている。底板１１のハンドル１側の底部の両端には小型の自在キャスター１３がドラムを載せる側には大型の固定キャスター１４が設置され、ドラムを載せる部分にはスロープ１５が設置されている。
【００１０】  尿素水を車両の尿素水タンクに給液する方法は、倉庫等に搬入されていた尿素水入りドラムをドラム運搬台車のスロープ１５から載せ、ドラムのチャイム（縁）部分をレバー１０で挟みドラムを固定し、ドラムをドラム運搬台車のハンドル１部分とゴムバンド１６で固定する。車両側までドラム運搬台車を移動させた後、ドラムの２つの栓の１つを開け、片方の栓に挿入用パイプ５を底辺まで挿入し、もう１つの栓を少し開け、空気をドラム内に取り込めるようにして、車両の尿素水タンクの口を開け、オートストップガン７の給液口を挿入し、電動ポンプ３の稼動スイッチ４をオンとし、尿素水を供給する。オートストップガン７を使用するにより、尿素水タンクが満タンとなると給液が止まるので、尿素水が溢れることなく、作業できる。尿素水を入れ終わった後は、電動ポンプ３を止め、オートストップガン７を外し、車両の尿素タンクの口を閉め、ドラムの空気取り入れ用の栓を閉めて作業を終了する。
【符号の説明】
【００１１】  １      ハンドル
２      設置板
３      電動ポンプ
４      稼動スイッチ
５      挿入用パイプ
６      吸液用ホース
７      オートストップガン
８      給液用ホース
９      掛け金具
１０    レバー
１１    底板
１２    バッテリー
１３    自在キャスター
１４    固定キャスター
１５    スロープ
１６    ゴムバンド
【図１】
2018193049.tif 000003
【図２】
2018193049.tif 000004